(57)【要約】【課題】適量の洗浄液で被洗浄ローラ保持シャフトへの汚れの再付着或は前記洗浄布の清潔な部分への汚れの再付着を防止し、効率良く洗浄することができるローラ保持シャフト洗浄装置を提供すること。【解決手段】被洗浄ローラ保持シャフト１を洗浄する洗浄布２と、洗浄布２を張設するためのガイドローラ３と、同様に洗浄布２を張設し、且つ、洗浄布２に洗浄液を供給する洗浄液供給シャフト４と、被洗浄保持シャフトと洗浄布の接触圧を調整するテンション調整ローラ５と、前記テンション調整ローラ５を軸と垂直方向に引張る引張り機構６と、洗浄布２を送り出す洗浄布送り出し機構７と洗浄布２を巻き取る洗浄布巻き取り機構８と、洗浄布２に洗浄液を供給する洗浄液供給機構９とでできるローラ保持シャフト洗浄装置を構成する。【選択図】図１
2006130432.tif 000002
【特許請求の範囲】
【請求項１】
洗浄布によりローラ端面に勘合された被洗浄ローラ保持シャフト表面に付着した塗料を拭き取るローラ保持シャフト洗浄装置において、
一対の洗浄液吐出シャフトとガイドシャフト間に被洗浄ローラ保持シャフトの洗浄範囲よりも幅の広い洗浄布を張設し、洗浄位置よりも上流に設けられた移動可能なテンション調整ローラに軸と垂直な方向に引張力を付与し前記洗浄布を常時所定のテンションで保持する機構を設け、洗浄位置よりも上流に設けられた前記洗浄液吐出シャフトから前記洗浄布に洗浄液を吐出し、回転した被洗浄ローラ保持シャフト表面と洗浄液が含浸された前記洗浄布の部分とを当接するとともに前記洗浄布を移動させることにより、被洗浄ローラ保持シャフト表面の塗料を拭き取ることを特徴とするローラ保持シャフト洗浄装置。
【請求項２】
前記テンション調整ローラには、錘又はエアシリンダーが装備され、前記錘又はエアシリンダーにより軸と垂直な方向に所定の力を付与することにより、前記洗浄布を所定のテンションで保持し、被洗浄ローラ保持シャフト表面と前記洗浄布を当接させ、その接触圧により被洗浄ローラ保持シャフト表面の塗料を拭き取ることを特徴とする請求項１記載のローラ保持シャフト洗浄装置。
【請求項３】
前記洗浄布は装置に備えられた送り出し・巻取り機構により供給され、被洗浄ローラ保持シャフトを回転しながら被洗浄ローラ保持シャフトの回転方向と逆方向に前記洗浄布を移動させることにより塗料を拭き取ることを特徴とする請求項１記載のローラ保持シャフト洗浄装置。
【請求項４】
前記溶剤吐出シャフトには洗浄布との当接方向に溶剤供給口から徐々に径を大きくした所定の個数の微細孔が設けられ、前記洗浄液が前記洗浄布の幅方向に均等に洗浄液を吐出されることにより、前記洗浄液を前記洗浄布に含浸させ塗料を拭き取ることを特徴とする請求項１記載のローラ保持シャフト洗浄装置。
【発明の詳細な説明】
【技術分野】
【０００１】
本発明は、ローラ表面に塗料を塗布する塗布装置に関し、特に塗料を塗布された円筒体表面の洗浄機構に関するものである。
【背景技術】
【０００２】
従来のロール洗浄方法及び装置としては、図４に示されるように、洗浄液が含浸付与された被洗浄ロールより小さい幅の洗浄ベルトの幅方向の一部をバックアップロールによって回転している被洗浄ロールの表面に押し当て、被洗浄ロールの表面上を一端から他端まで軸方向に移動させて前記被洗浄ロールが洗浄されることを特徴とするものが提案されている（特許文献１参照）。
【０００３】
又、従来のロールクリーニング装置としては、図５に示されるように、クリーニング対象ロールＷＲをクリーニングテープＣＴを用いてクリーニングする方法であって、供給ロールＫＲから供給されるクリーニングテープＣＴを、タッチロールＴＲによって微粉末が付着したクリーニング対象ロールに押し付けてクリーニングするものであって、前記クリーニングテープＣＴの走行方向をクリーニング対象ロールWRの表面の進行方向と逆の方向にするとともに、クリーニングテープCTをクリーニング対象ロールＷＲの幅方向に蛇行走行させるものがある（特許文献２参照）。
【０００４】
更に、従来のローラ洗浄器としては、図６に示されるように、巻き出しローラＦＲ及び巻き取りローラＭＫ巻に調節された帯状のフエルトＦを溶剤槽Ｙをくぐらせて溶剤を保持してガイドローラＧＲを介して、回転している被洗浄ローラＷの回転方向と逆方向に供給するとともに、前記被洗浄ローラＷを前記フエルトＦを介してバックアップローラＢＲに圧接して前記被洗浄ローラＷを洗浄するものがある（特許文献３参照）。
【０００５】
又、従来の自動ロール・クリーナとしては、図７に示されるように、エア・シリンダＡＣによって均一な接触圧を確保するためにゴム材料で覆った非回転のタッチロールＴＲをクリーニング・クロスＣＣを介在させてプロセス・ロールＰＲに押し付けて洗浄し、エア・シリンダＡＣによって前記タッチロールＴＲを後退させた後、タッチロールＴＲを回転させて次のクリーニングに備え、前記クリーニング・クロスＣＣの清潔な部分を用意するものがある（特許文献４参照）。
【０００６】
又、従来の洗浄布加圧機構としては、図８示されるように、固定されたシート取付棒４と回転可能なシート取付棒３間にシート材６を張設し、シート取付棒３に常時所定の回転力を付与してシート材６を緊張させる圧力調整バネ８を取り付け、シート材６とローラ１０間に洗浄布９を介在させて洗浄布９とローラ１０を当接し、その接触圧を、シート取付棒３が圧力調整バネ８による回転方向と反対の方向に回転することにより吸収緩和するものがある（特許文献５参照）。
【０００７】
【特許文献１】特開２０００−３３４３９２号公報
【特許文献２】特開平３−１７６８１６号公報
【特許文献３】特開平７−２０４５８８号公報
【特許文献４】特開平６−３０５１２０号公報
【特許文献５】特開平６−３１２５０３号公報
【発明の開示】
【発明が解決しようとする課題】
【０００８】
従来のロール洗浄方法及び装置では、バックアップローラにより洗浄ベルトと被洗浄ロールを加圧するため、被洗浄ロールの付着物が塗料であった場合、その塗料が洗浄ベルトを通してバックアップローラに付着してしまい、前記洗浄ベルトを供給した時に前記洗浄ベルトの清潔な部分が前記バックアップローラに付着した塗料により汚れてしまう恐れがあり、且つ、前記被洗浄ロールより小さい幅の洗浄ベルトの幅方向の一部で被洗浄ロールの表面上を一端から他端まで軸方向に移動させる洗浄方法のため、とても時間が掛かってしまうという問題がある。
【０００９】
又、従来のロールクリーニング装置は、前記供給ロールＫＲから供給される前記クリーニングテープＣＴを、前記タッチロールＴＲによって微粉末が付着した前記クリーニング対象ロールＷＲに押し付けてクリーニングするものであって、前記クリーニングテープＣＴを前記クリーニング対象ロールＷＲの幅方向に蛇行走行させるものであるので、前記クリーニングテープＣＴが前記クリーニング対象ロールＷＲ上において方向を変える度に前記クリーニングテープＣＴによって拭き取られた汚れの一部が、前記クリーニング対象ロールＷＲ上に再付着するという問題があった。
【００１０】
更に、従来のローラ洗浄器は、前記帯状のフエルトＦを前記溶剤槽Ｙをくぐらせて溶剤を保持するため、前記帯状のフエルトＦに保持される溶剤の量が前記帯状のフエルトＦの送り速度に依存して変動するために制御できず、前記溶剤が垂れてしまう恐れがあり、且つ、溶剤コストが高く掛かってしまう。
【００１１】
又、従来の自動ロール・クリーナは、前記クリーニング・クロスＣＣを介在させ前記プロセス・ロールに押し付けるための前記タッチロールＴＲが非回転のため、前記エア・シリンダＡＣによって、前記タッチロールＴＲを後退させるときに前記クリーニング・クロスＣＣに付着した汚れが前記プロセス・ロールＰＲに再付着するという問題があった。
【００１２】
又、従来の洗浄布加圧機構は、圧力調整バネ８によりシート取付棒３に常時所定の回転力を付与してシート材６を緊張させる方法のため、ローラ１０の押し当て量によりテンションが変わってしまい、且つ、シート材６は送り機構がないため、洗浄布９で拭き取ったローラの汚れが洗浄布９を介してシート材に付着し、シート材に汚れが溜まる、或は再び清潔な部分の洗浄布９に付着してしまうという恐れがある。
【００１３】
そこで、本発明者は、洗浄布により被洗浄ローラ保持シャフト表面に付着した塗料を拭き取るローラ保持シャフト洗浄方法において、一対の洗浄液吐出シャフトとガイドシャフト間に被洗浄ローラ保持シャフトの洗浄範囲よりも幅の広い洗浄布を張設し、洗浄位置よりも上流に設けられた移動可能なテンション調整ローラに軸と垂直な方向に引張力を付与し前記洗浄布を常時所定のテンションで保持する機構を設け、洗浄位置よりも上流に設けられた前記洗浄液吐出シャフトから前記洗浄布に洗浄液を吐出し、回転した被洗浄ローラ保持シャフト表面と洗浄液が含浸された前記洗浄布の部分とを当接するとともに前記洗浄布を移動させることにより、被洗浄ローラ保持シャフト表面の塗料を拭き取るという本発明の技術的思想により、適量の洗浄液で被洗浄ローラ保持シャフトへの汚れの再付着或は前記洗浄布の清潔な部分への汚れの再付着を防止し、効率良く洗浄するという目的を達成する本発明に到達した。
【課題を解決するための手段】
【００１４】
上記目的を達成するため、請求項１記載の発明は、洗浄布によりローラ端面に勘合された被洗浄ローラ保持シャフト表面に付着した塗料を拭き取るローラ保持シャフト洗浄装置において、一対の洗浄液吐出シャフトとガイドシャフト間に被洗浄ローラ保持シャフトの洗浄範囲よりも幅の広い洗浄布を張設し、洗浄位置よりも上流に設けられた移動可能なテンション調整ローラに軸と垂直な方向に引張力を付与し前記洗浄布を常時所定のテンションで保持する機構を設け、洗浄位置よりも上流に設けられた前記洗浄液吐出シャフトから前記洗浄布に洗浄液を吐出し、回転した被洗浄ローラ保持シャフト表面と洗浄液が含浸された前記洗浄布の部分とを当接するとともに前記洗浄布を移動させることにより、被洗浄ローラ保持シャフト表面の塗料を拭き取ることを特徴とする。
【００１５】
請求項２記載の発明は、請求項１記載の発明において、前記テンション調整ローラには、錘又はエアシリンダーが装備され、前記錘又はエアシリンダーにより軸と垂直な方向に所定の力を付与することにより、前記洗浄布を所定のテンションで保持し、被洗浄ローラ保持シャフト表面と前記洗浄布を当接させ、その接触圧により被洗浄ローラ保持シャフト表面の塗料を拭き取ることを特徴とする。
【００１６】
請求項３記載の発明は、請求項１記載の発明において、前記洗浄布は装置に備えられた送り出し・巻取り機構により供給され、被洗浄ローラ保持シャフトを回転しながら被洗浄ローラ保持シャフトの回転方向と逆方向に前記洗浄布を移動させることにより塗料を拭き取ることを特徴とする。
【００１７】
請求項４記載の発明は、請求項１記載の発明において、前記溶剤吐出シャフトには洗浄布との当接方向に溶剤供給口から徐々に径を大きくした所定の個数の微細孔が設けられ、前記洗浄液が前記洗浄布の幅方向に均等に洗浄液を吐出されることにより、前記洗浄液を前記洗浄布に含浸させ塗料を拭き取ることを特徴とする。
【発明の効果】
【００１８】
請求項１記載の発明によれば、一対の洗浄液吐出シャフトとガイドシャフト間に被洗浄ローラ保持シャフトの洗浄範囲よりも幅の広い洗浄布を張設し、洗浄位置よりも上流に設けられた移動可能なテンション調整ローラに軸と垂直な方向に引張力を付与し前記洗浄布を常時所定のテンションで保持する機構を設け、洗浄位置よりも上流に設けられた前記洗浄液吐出シャフトから前記洗浄布に洗浄液を吐出し、回転した被洗浄ローラ保持シャフト表面と洗浄液が含浸された前記洗浄布の部分とを当接するとともに前記洗浄布を移動させることにより、被洗浄ローラ保持シャフト表面の塗料を拭き取るものであるので、適量の洗浄液で被洗浄ローラ保持シャフト表面の長手方向一面を一度に拭き取ることができ効率が良く、且つ、被洗浄ローラ保持シャフトへの拭き取られた汚れの再付着或は前記洗浄布の清潔な部分への拭き取られた汚れの再付着を防止することができる。
【００１９】
請求項２記載の発明によれば、前記錘又はエアシリンダーにより前記洗浄布を所定のテンションで保持し、被洗浄ローラ保持シャフト表面と前記洗浄布を当接させ、その接触圧により被洗浄ローラ保持シャフト表面の塗料を拭き取るもので、前記洗浄布を介して被洗浄ローラ保持シャフトとの反対側に加圧体を用いることがないため、前記洗浄布に染み込んだ塗料が加圧体に付着することなく、前記洗浄布の清潔な部分への汚れの再付着を防止することができ、又、テンション付与の手段として錘又はエアシリンダーを用いることにより、被洗浄ローラ保持シャフトの押し当て量に関わらず錘又はエアシリンダーの設定のみで接触圧を制御することできる。
【００２０】
請求項３記載の発明によれば、前記洗浄布は装置に備えられた送り出し・巻取り機構により供給され、被洗浄ローラ保持シャフトを回転しながら被洗浄ローラ保持シャフトの回転方向と逆方向に前記洗浄布を移動させることにより塗料を拭き取るので、常に前記洗浄布の清潔な部分が被洗浄ローラ保持シャフトを洗浄し、短い送り量でより効率良く洗浄することができ、且つ、被洗浄ローラ保持シャフトへ拭き取られた汚れの再付着を防止することができる。
【００２１】
請求項４記載の発明によれば、前記溶剤吐出シャフトには洗浄布との当接方向に溶剤供給口から徐々に径を大きくした所定の個数の微細孔が設けられ、前記洗浄液が前記洗浄布の幅方向に均等に洗浄液を吐出されることにより、前記洗浄液を前記洗浄布に含浸させ塗料を拭き取るので、余分な洗浄液を用いることなく、コストダウンを図ることができる。
【発明を実施するための最良の形態】
【００２２】
以下に本発明の実施の形態を添付図面に基づいて説明する。
【００２３】
本実施の形態のローラ保持シャフト洗浄装置は、図１に示されるように、被洗浄ローラ保持シャフト１を洗浄する洗浄布２と、前記洗浄布を張設するためのガイドローラ３と、同様に前記洗浄布を張設し、且つ、前記洗浄布に洗浄液を供給する洗浄液供給シャフト４と、被洗浄ローラ保持シャフトと前記洗浄布の接触圧を調整するテンション調整ローラ５と、前記テンション調整ローラ５を軸と垂直方向に引張る引張り機構６と、前記洗浄布を送り出す洗浄布送り出し機構７と前記洗浄布を巻き取る洗浄布巻き取り機構８と、前記洗浄布に洗浄液を供給する洗浄液供給機構９とから成るものである。
【００２４】
洗浄布巻き取り機構８は、前記洗浄液供給機構９から前記洗浄液供給シャフト４を介し前記洗浄液が前記洗浄布に供給された時、又、被洗浄ローラ保持シャフトと前記洗浄布が当接した時に、所定の量だけ巻き取るものである。
【００２５】
洗浄液供給シャフト４は、図３に示されるように、軸方向に下からφ０．３×３、φ０．４×２、φ０．５×２の計７つの微細孔がそれぞれ５ｍｍ間隔で開けられられることで、前記洗浄液は前記微細孔から前記洗浄布の幅方向に均等に吐出される。
【００２６】
上記構成より成る本実施の形態のローラ保持シャフト洗浄装置は、前記引張り機構６により前記テンションローラ５が軸と垂直方向に引っ張られ、前記ガイドローラ３と前記洗浄液供給シャフト４間の前記洗浄布が所定のテンションで保持された状態で、前記洗浄液が前記洗浄液供給機構９から前記洗浄液供給シャフト４を介して前記洗浄布２に吐出された後に、前記洗浄布巻き取り機構により前記洗浄布が所定量移動することにより、前記洗浄液が前記洗浄布２に含浸付与された部分が被洗浄ローラ保持シャフトの当接位置まで移動する。
【００２７】
前記巻取り機構８により前記洗浄液が前記洗浄布２に含浸された部分が被洗浄ローラ保持シャフト1 との当接位置まで移動する時に、回転した被洗浄ローラ保持シャフト１と前記洗浄布２が当接し、前記引張り機構６により付与されたテンションによる接触圧と、前記洗浄布巻き取り機構８により前記洗浄布２が移動することにより、被洗浄ローラ保持シャフト表面の塗料を拭き取る。
【００２８】
回転した被洗浄ローラ保持シャフト１と前記洗浄布２が当接すると、前記巻取り機構８が前記洗浄布１を所定の速度で巻き取り、洗浄面には常に前記洗浄液が含浸された前記洗浄布の清潔な部分が供給され、被洗浄ローラ保持シャフト１が洗浄される。
【００２９】
本実施の形態におけるローラ保持シャフト洗浄装置は、図１及び図２に示されるように、引張り機構６によりテンション調整ローラ５が軸と垂直方向に引っ張られ、ガイドローラ３と洗浄液供給シャフト４間の前記洗浄布２が所定のテンションで保持された状態で、洗浄液が洗浄液供給機構９から前記洗浄液供給シャフト４を介して吐出され、前記洗浄液が含浸付与された前記洗浄布２の部分と被洗浄ローラ保持シャフト１が当接し、被洗浄ローラ保持シャフト１の塗料を拭き取るものである。
【００３０】
引張り機構６は洗浄液供給シャフト４よりも上流に位置しエアシリンダー１４により構成され、常時一定のエア圧で前記洗浄布２が所定のテンションで保持されるように構成されている。
【００３１】
洗浄布２は、被洗浄ローラ保持シャフト１の洗浄範囲よりも広い幅のコットン紙により構成され、エアシリンダー１４によりテンション調整ローラ５を介してガイドシャフト３と洗浄液吐出シャフト４間の前記洗浄布のテンションを調節し、所定のテンションを付与した状態で、洗浄液供給ポンプ１２より前記洗浄液を流入し、前記洗浄液吐出シャフト４に設けられた微細孔から前記洗浄布２に吐出されるように構成されている。
【００３２】
洗浄布巻き取り機構８は、ステッピングモータにより構成され、前記洗浄布２に前記洗浄液が含浸付与されると、所定量回転し前記洗浄液が含浸された前記洗浄布２の部分が被洗浄ローラ保持シャフト１との当接位置まで移動し、又、被洗浄ローラ保持シャフト１が前記洗浄布２に当接するとき再度所定量回転し、前記洗浄布２の前記洗浄液が含浸された清潔な部分が常時供給されるように構成されている。
【００３３】
被洗浄ローラ保持シャフト１は、ステッピングモータ１１により回転を行い、回転した状態で前記洗浄布２と当接され、当接してから所定量回転を行った後停止するように構成されている。
【００３４】
洗浄布送り出し機構７は、ステッピングモータにより構成されているが、常時回転しないものとし、そのため、エアシリンダー１４のロッドは、前記洗浄布巻き取り機構８により前記洗浄布２が巻き取られる度に伸びることになる。前記洗浄布送り出し機構７は、エアシリンダー１４のロッドがある位置まで移動しセンサー１０によりセンシングされた時のみ所定の回転を行い、その際、エアシリンダー１４のロッドは、ストロークスタートに戻ろうとするが、前記洗浄布送り出し機構７の回転速度は所定の速度とし、前記洗浄布２のテンションが常時一定に保持されるように構成されている。
【００３５】
前記洗浄液供給タンク１２には一定の圧が付与されており、前記洗浄液供給ポンプ１２と前記洗浄液供給シャフト４間に設けられた電磁弁１３の開閉によりチューブを通り、図３に示されるような前記洗浄液吐出シャフト４の微細孔から均一に前記洗浄布２に供給・停止されるように構成されている。
【００３６】
上記構成より成る本実施の形態のローラ保持シャフト洗浄装置は、図１及び図２に示されるように、前記洗浄布２はエアシリンダー４に所定圧を付与することにより、一定のテンションで保持される。
【００３７】
前記洗浄液供給タンク１２に所定圧のエアを付与し、前記電磁弁１３を開けることで、前記洗浄液は、チューブから前記洗浄液吐出シャフト４の微細孔を通して、前記洗浄布２にその幅方向に均一に吐出される。
【００３８】
前記洗浄液が前記洗浄布２に供給されると、前記洗浄布巻き取り機構８が所定量回転し、前記洗浄液が含浸付与された前記洗浄布２の部分が被洗浄ローラ保持シャフト１との当接位置まで移動し、ステッピングモータ１１により回転した被洗浄ローラ保持シャフト１と前記洗浄布２が当接する。
【００３９】
被洗浄ローラ保持シャフト１と前記洗浄布２が当接し、被洗浄ローラ保持シャフト１が所定量回転すると前記洗浄布巻き取り機構８が回転して前記洗浄布２が移動し始める。そのため、前記洗浄液が含浸された清潔な部分が常に供給されるので、拭き取った塗料の被洗浄ローラ保持シャフト１への再付着を防止することができる。
【００４０】
前記洗浄布巻き取り機構８が所定量の回転を行うと、回転が停止し前記洗浄布２の移動が停止するとともに、被洗浄ローラ保持シャフト１が前記洗浄布２から離れ、洗浄終了となる。
【００４１】
前記洗浄布送り出し機構７は通常回転しないため、前記洗浄布２が前記巻取り機構８により巻き取られる度に、エアシリンダー１４のロッドは伸びていく。ロッドが或る位置まで伸びると洗浄布送りセンサー１０がセンシングを行い、洗浄布送り出し機構７が回転し始め、前記洗浄布２が送られることによりロッドはストロークスタートまで戻るとともに洗浄布送り出し機構７の回転は停止する。
【００４２】
本実施の形態のローラ保持シャフト洗浄装置は、前記洗浄布２がエアシリンダー１４にエア圧を付与することにより一定のテンションで保持されているという機構のため、エア圧により容易にテンションの制御ができると共に、被洗浄ローラ保持シャフト１の押し付け量に関わらず前記洗浄布２と被洗浄ローラ保持シャフト１の接触圧が一定に保持できるという効果を奏する。
【００４３】
又、本実施の形態のローラ保持シャフト洗浄装置における前記洗浄布２は、被洗浄ローラ保持シャフト１の洗浄範囲よりも広い幅のコットン紙により構成されているため、被洗浄ローラ保持シャフト１の洗浄部長手一面を一度にムラなく洗浄でき、タクト短縮という効果を奏する。
【００４４】
更に、本実施の形態のローラ保持シャフト洗浄装置は、洗浄液供給シャフト４に下からφ０．３×３、φ０．４×２、φ０．５×２の計７つの微細孔がそれぞれ５ｍｍ間隔で設けられ、前記洗浄布２の幅方向に均一に前記洗浄液が吐出され前記洗浄布２に所定の範囲で均一に広がるように構成されていおり、少量の洗浄液で、且つ、余分な洗浄液を用いることがないため、コストダウンという効果を奏する。
【００４５】
更に、本実施の形態のローラ保持シャフト洗浄装置は、前記錘又はエアシリンダ１４により前記洗浄布２を所定のテンションで保持し、被洗浄ローラ保持シャフト１の表面と前記洗浄布２を当接させ、その接触圧により被洗浄ローラ保持シャフト１の表面の塗料を拭き取るもので、前記洗浄布２を介して被洗浄ローラ保持シャフト１との反対側に加圧体を用いることがなく、前記洗浄布２に染み込んだ塗料が加圧体に付着することがないため、前記洗浄布２の清潔な部分への汚れの再付着を防止するという効果を奏する。
【００４６】
又、本実施の形態のローラ保持シャフト洗浄装置は、前記洗浄液が洗浄位置よりも上流の位置で含浸付与され、前記洗浄液が含浸された部分で被洗浄ローラ保持シャフト１を当接し荒拭きを行い、前記洗浄布２を被洗浄ローラ保持シャフト１の回転方向と逆方向に移動させることにより、前記洗浄液が含浸された清潔な部分で被洗浄ローラ保持シャフト１を洗浄するため、被洗浄ローラ保持シャフト１の拭き残しがなく、且つ、拭き取られた汚れの被洗浄ローラ保持シャフト１への再付着を防止するという効果を奏する。
【図面の簡単な説明】
【００４７】
【図１】本発明に係るローラ保持シャフト洗浄装置の要部を示す上面図である。
【図２】本発明に係るローラ保持シャフト洗浄装置の要部を示す斜視図である。
【図３】本発明における洗浄液吐出シャフトを示す斜視図である。
【図４】従来のロール洗浄方法及び装置を示す側面図である。
【図５】従来のロールのクリーニング装置を示す斜視図である。
【図６】従来のローラ洗浄器を示す断面図である。
【図７】従来の自動ロール・クリーナを示す側面図である。
【図８】従来の洗浄布加圧機構を示す概略図である。
【符号の説明】
【００４８】
１    被洗浄ローラ保持シャフト
２    洗浄布
３    ガイドシャフト
４    洗浄液吐出シャフト
５    テンション調整ローラ
６    引張り機構
７    洗浄布送り出し機構
８    洗浄布巻き取り機構
【図１】
2006130432.tif 000003
【図２】
2006130432.tif 000004
【図３】
2006130432.tif 000005
【図４】
2006130432.tif 000006
【図５】
2006130432.tif 000007
【図６】
2006130432.tif 000008
【図７】
2006130432.tif 000009
【図８】
2006130432.tif 000010